(57)【要約】【課題】３相インバータの交流出力線に直列接続される単相インバータの直流電源の電圧を効果的に制御して、小型化、低コスト化が可能な電力変換装置を得る。【解決手段】直流電源１に接続される三相のメインインバータ３を相電圧指令の半周期の間にそれぞれ１パルスの電圧を主電圧パルスとして出力するように制御するとともに、出力線３７に２台直列に接続されたインバータ５の出力電圧を制御して、負荷９に三相交流を供給するようにし、かつサブインバータ５の直流コンデンサ５３の電圧及び負荷９の力率に応じて主電圧パルスの立ち上がりのタイミングと立ち下がりのタイミングとを逆方向に移動させる制御と上記各タイミングを同方向に移動させる制御とを切り替える。【選択図】図１
2011120325.tif 000002
【特許請求の範囲】
【請求項１】
三相インバータと単相インバータと制御装置とを備えた電力変換装置であって、
上記三相インバータは、直流電源の正負端子間に接続され上記直流電源の電力を三相交流に変換して三相の交流出力線を介して出力するものであり、
上記単相インバータは、単相インバータ用直流電源と単相インバータ回路とを有し、上記単相インバータ回路の直流側が上記単相インバータ用直流電源に接続され交流側が上記交流出力線のそれぞれに１または複数直列に接続されたものであり、
上記三相インバータの出力電圧と上記各単相インバータの出力電圧との和が負荷に出力されるものであり、
上記制御装置は、三相交流の各相電圧指令に基づいて上記三相インバータが上記各相毎の相電圧指令の半周期の間にそれぞれ１パルスの電圧を主電圧パルスとして出力するように上記三相インバータを制御するとともに上記単相インバータの出力電圧をパルス幅変調制御して上記負荷に三相交流を供給するようにし、かつ上記単相インバータ用直流電源の電圧を制御するために上記単相インバータの出力側における力率に応じて上記主電圧パルスのパルス幅を制御する制御方式と、上記主電圧パルスのパルス幅とともに上記相電圧指令に対する上記主電圧パルスの出力位相を制御する制御方式とを切り替えるものである
電力変換装置。
【請求項２】
上記三相インバータは、上記直流電源の電圧を分圧する２個直列に接続された直列コンデンサを有するものであって、上記２個の直列コンデンサの接続点に電位を固定する電位固定手段を有する３レベルインバータであることを特徴とする請求項１に記載の電力変換装置。
【請求項３】
上記単相インバータは、上記単相インバータ用直流電源が直流コンデンサにて構成されたものであることを特徴とする請求項１に記載の電力変換装置。
【請求項４】
上記単相インバータは、上記単相インバータ用直流電源の電圧が上記三相インバータの上記主電圧パルスの電圧より小さいものであることを特徴とする請求項１に記載の電力変換装置。
【請求項５】
上記制御装置は、上記負荷への各相出力電流が正弦波となるように上記単相インバータの出力を制御するものであることを特徴とする請求項１に記載の電力変換装置。
【請求項６】
上記制御装置は、上記単相インバータの半周期あるいは１周期の出力電力収支が０となるように、上記主電圧パルスのパルス幅を仮決定し、この仮決定したパルス幅を上記単相インバータ用直流電源の電圧に応じて変更するものであることを特徴とする請求項１に記載の電力変換装置。
【請求項７】
上記制御装置は、上記負荷の力率が所定値以下のとき上記主電圧パルスの立ち上がりのタイミングと立ち下がりのタイミングとを同方向に移動させるものであることを特徴とする請求項１に記載の電力変換装置。
【請求項８】
上記三相インバータは、上記単相インバータ直流電源電圧が上記主電圧パルスと上記相電圧指令との差分よりも小さく上記単相インバータが上記差分を負担しきれないとき上記差分を補償するようにパルス幅変調制御による電圧を出力するものであることを特徴とする請求項１に記載の電力変換装置。
【発明の詳細な説明】
【技術分野】
【０００１】
本発明は、直流電力を交流電力に変換する電力変換装置に関し、例えば太陽電池などの分散電源の直流電力を三相出力の交流電力に変換して負荷に出力する電力変換装置に関するものである。
【背景技術】
【０００２】
従来の電力変換装置として、太陽電池からの直流電力を三相の交流電力に変換して三相の負荷に連系する太陽光発電用電力変換装置に以下に示すものがある。
太陽電池の出力端子間に接続された平滑コンデンサを直流部とした三相インバータと、その各交流出力線にそれぞれ直列接続された単相インバータとでインバータ部を構成し、三相絶縁トランスを介して負荷に連系する。三相インバータは、負荷電圧の半周期について１パルスの電圧パルスを発生する基本電圧パルスが出力されている期間中の電流の最大値付近で逆極性電圧パルスを出力するようにし、各単相インバータは、半周期内で負担電力を概零にすると共に、三相インバータで逆極性電圧パルスが発生している期間中は各相の目標出力電圧に共通電圧を減算する補正を行う（例えば、特許文献１参照）。
【先行技術文献】
【特許文献】
【０００３】
【特許文献１】国際公開ＷＯ２００８−１０２５５１号公報（段落番号００１１〜００２６及び図１〜７）
【発明の概要】
【発明が解決しようとする課題】
【０００４】
上記のような従来の電力変換装置では、太陽電池に接続する三相インバータに三相２レベルインバータを用い、単相インバータの各相目標出力電圧に共通電圧を減算する補正を行って、単相インバータの出力電圧が大きくなるのを抑制している。このような単相インバータの出力補正は、三相２レベルインバータが逆極性電圧パルスを発生する期間のみであるため、通常、単相インバータの出力電圧が大きくなる位相が０，πの付近では変化がなく、単相インバータに必要な直流電圧の低減は限定的なものであった。
この発明は上記のような問題点を解消するためになされたものであって、三相インバータの交流出力線に直列接続される単相インバータの直流電源の電圧を効果的に制御して、小型化、低コスト化を図ることのできる電力変換装置を得ることを目的とする。
【課題を解決するための手段】
【０００５】
この発明に係る電力変換装置においては、
三相インバータと単相インバータと制御装置とを備えた電力変換装置であって、
三相インバータは、直流電源の正負端子間に接続され直流電源の電力を三相交流に変換して三相の交流出力線を介して出力するものであり、
単相インバータは、単相インバータ用直流電源と単相インバータ回路とを有し、単相インバータ回路の直流側が単相インバータ用直流電源に接続され交流側が交流出力線のそれぞれに１または複数直列に接続されたものであり、
三相インバータの出力電圧と各単相インバータの出力電圧との和が負荷に出力されるものであり、
制御装置は、三相交流の各相電圧指令に基づいて三相インバータが各相毎の相電圧指令の半周期の間にそれぞれ１パルスの電圧を主電圧パルスとして出力するように三相インバータを制御するとともに単相インバータの出力電圧をパルス幅変調制御して負荷に三相交流を供給するようにし、かつ単相インバータ用直流電源の電圧を制御するために単相インバータの出力側における力率に応じて主電圧パルスのパルス幅を制御する制御方式と、主電圧パルスのパルス幅とともに相電圧指令に対する主電圧パルスの出力位相を制御する制御方式とを切り替えるものである。
【発明の効果】
【０００６】
この発明は、三相インバータと単相インバータと制御装置とを備えた電力変換装置であって、
三相インバータは、直流電源の正負端子間に接続され直流電源の電力を三相交流に変換して三相の交流出力線を介して出力するものであり、
単相インバータは、単相インバータ用直流電源と単相インバータ回路とを有し、単相インバータ回路の直流側が単相インバータ用直流電源に接続され交流側が交流出力線のそれぞれに１または複数直列に接続されたものであり、
三相インバータの出力電圧と各単相インバータの出力電圧との和が負荷に出力されるものであり、
制御装置は、三相交流の各相電圧指令に基づいて三相インバータが各相毎の相電圧指令の半周期の間にそれぞれ１パルスの電圧を主電圧パルスとして出力するように三相インバータを制御するとともに単相インバータの出力電圧をパルス幅変調制御して負荷に三相交流を供給するようにし、かつ単相インバータ用直流電源の電圧を制御するために単相インバータの出力側における力率に応じて主電圧パルスのパルス幅を制御する制御方式と、主電圧パルスのパルス幅とともに相電圧指令に対する主電圧パルスの出力位相を制御する制御方式とを切り替えるものであるので、
単相インバータ用直流電源の電圧を効果的に制御して、電力変換装置の小型化、低コスト化を図ることができる。
【図面の簡単な説明】
【０００７】
【図１】この発明の実施の形態１による電力変換装置の構成を示す構成図である。
【図２】図１のメインインバータの動作を説明するための電圧波形を示す図である。
【図３】図１のサブインバータの動作を説明するための電圧波形を示す図である。
【図４】図１の電力変換装置の動作を説明するための電圧波形を示す図である。
【図５】図１のメインインバータの出力エネルギーと負荷へ出力されるエネルギーの関係を示す図である。
【図６】図１のサブインバータの直流コンデンサの電圧制御の動作を説明するための電圧及び電流波形を示す図である。
【図７】図１のサブインバータの直流コンデンサの電圧制御の動作を説明するための説明図である。
【図８】図１のサブインバータの直流コンデンサの電圧制御の動作を説明するための説明図である。
【図９】図１のサブインバータの直流コンデンサの電圧制御の動作を説明するための電圧及び電流波形を示す図である。
【図１０】図１のサブインバータの直流コンデンサの電圧制御の動作を説明するための電圧及び電流波形を示す図である。
【図１１】この発明の実施の形態２による電力変換装置の出力制御装置の構成を示す構成図である。
【図１２】この発明の実施の形態２による電力変換装置のサブインバータの直流コンデンサの電圧が不足したときの各部の電圧波形を示す図である。
【図１３】この発明の実施の形態２による電力変換装置のメインインバータの動作を説明するための電圧波形を示す図である。
【発明を実施するための形態】
【０００８】
実施の形態１．
図１〜図１０は、この発明を実施するための実施の形態１を示すものであり、図１は電力変換装置の構成を示す構成図、図２は図１のメインインバータの動作を説明するための電圧波形を示す図である。図３は図１のサブインバータの動作を説明するための電圧波形を示す図、図４は図１の電力変換装置の動作を説明するための電圧波形を示す図である。図５は図１のメインインバータの出力エネルギーと負荷へ出力されるエネルギーの関係を示す図、図６は図１のサブインバータの直流コンデンサの電圧制御の動作を説明するための電圧及び電流波形を示す図である。図７及び図８は、サブインバータの直流コンデンサの電圧制御の動作を説明するための説明図である。図９は図１のサブインバータの直流コンデンサの電圧制御の動作を説明するための電圧及び電流波形を示す図、図１０は図１のサブインバータの直流コンデンサの電圧制御の動作を説明するための電圧及び電流波形を示す図である。
【０００９】
図１（ａ）において、電力変換装置は、直流電源１からの直流電力を三相交流電力に変換して負荷（電力系統）９に出力するものであり、直流電源１はこの実施の形態においては太陽電池、あるいは太陽電池の出力をＤＣ／ＤＣコンバータなどを用いて適切な電圧に変換した電源である。なお、太陽電池は、アースとの間に浮遊静電容量を有する。電力変換装置は、上記直流電源１の電圧２Ｅｄを母線電圧とする三相インバータ及び三相３レベルインバータとしてのメインインバータ３と、メインインバータ３の各相の交流出力線としての出力線３７にそれぞれ直列接続された単相インバータとしてのサブインバータ５と、サブインバータ５の後段に接続される三相の平滑フィルタ７を備える。なお、平滑フィルタ７は、三相分の図示しない直列リアクトル及び並列コンデンサを有する。メインインバータ３は、それぞれダイオードが逆並列接続されたスイッチング手段としての絶縁ゲートバイポーラトランジスタ（ＩＧＢＴ）３３が２個直列に接続されたハーフブリッジ３４を３組有する。
【００１０】
また、メインインバータ３は、直流電源１の電圧を分圧する２直列のメインコンデンサ３１を備え、メインコンデンサ３１同士の接続点である中性点Ｎに、電位固定手段としての中性点スイッチ３５としてエミッタ同士を接続した２直列のＩＧＢＴ３６の一方のコレクタ側が接続され、他方のコレクタ側が２直列のＩＧＢＴ３３の接続点にそれぞれ接続されている。各相のハーフブリッジ３４を構成する２直列のＩＧＢＴ３３の接続点に各相の出力線３７が接続されている。各相の出力線３７に２台のサブインバータ５（詳細後述）が直列に接続されている。以上のように、メインインバータ３は、２個のメインコンデンサ３１により直流電源１の電圧を２分割し、２個のメインコンデンサ３１の接続点である中性点Ｎを中性点スイッチ３５を介して２直列のＩＧＢＴ３３の接続点に接続することにより、３レベルの電圧を出力可能な構成としている。
【００１１】
次に、サブインバータ５の構成を図１（ｂ）により説明する。図１（ｂ）において、サブインバータ５は、４個のスイッチング素子である電界効果トランジスタ（ＦＥＴ）５１にて構成された単相のフルブリッジ５２と、電圧を保持する単相インバータ側直流電源としての直流コンデンサ５３とを有する。サブインバータ５は、図１（ａ）に示すように２台を一組としてその交流側が直列に接続され、直列に接続された交流側の一方がメインインバータ３の出力線３７に接続され、他方が平滑フィルタ７に接続されている。交流側が直列に接続された２台のサブインバータ５は、各相毎に三相の出力線３７にそれぞれ接続されている。
【００１２】
これにより、三相の出力線３７は、２台直列接続され各相毎に挿入されたサブインバータ５、平滑フィルタ７、インターフェース８を介して負荷９に接続されることになる。従って、各相のサブインバータ出力電圧Ｖｓｏは、メインインバータ３の各相のメインインバータ出力電圧Ｖｍｏに重畳され、メインインバータ出力電圧Ｖｍｏとサブインバータ出力電圧Ｖｓｏの和が、負荷９に印加される。なお、インターフェース８は、図示していないが断路器、漏洩電流を検出して遮断動作を行う漏電遮断器及び直流電源１側と負荷９とを絶縁する絶縁トランスを有する。
また、各サブインバータ５の直流コンデンサ５３の電圧は、直流電源１の電圧２Ｅｄの１／２、すなわちメインコンデンサ３１の直流電圧Ｖｍｃ以下の値に設定されている。
【００１３】
出力制御装置１０は、図１（ａ）に示すように、閾値電圧発生手段１１、補正装置１２を有する。補正装置１２は、比較器１２ａ、ＰＩ制御器１２ｂ、極性切替器１２ｃ、加算器１２ｄを有する。出力制御装置１０は、図示していないが、各部の電圧や電流をモニタリングするモニタリングシステムを備え、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）などによる演算が可能であり、制御信号を出力してメインインバータ３や各サブインバータ５を駆動制御する。
【００１４】
次に、このように構成された電力変換装置の動作を、図２〜図１０に示す波形図を用いて説明する。波形の電位は、メインインバータ３については、２直列のメインコンデンサ３１の接続点である中性点Ｎ（図１（ａ））を基準とした電位、サブインバータ５についてはメインインバータ出力電圧を基準とした電位として図示している。
図２に、電力変換装置の１相分の出力電圧指令である相電圧指令、例えばＵ相の出力すべき相電圧指令Ｖｓと、メインインバータ３の１相が実際に出力するメインインバータ出力電圧Ｖｍｏ（後述）を示す。相電圧指令Ｖｓは、各相が２π／３ずつ異なる位相で、ほぼ同じ波高値を有する正弦波である。
２直列のメインコンデンサ３１は直流電源１により直流電圧Ｖｍｃの２倍に充電される。直流電源１、各メインコンデンサ３１の両端電圧は図示しない検出手段により検出され、各検出電圧値は出力制御装置１０へ伝送される。
【００１５】
ここで、メインインバータ３は、実際は出力制御装置１０の閾値電圧発生手段１１から出される閾値電圧Ｖｔｈを補正装置１２において補正した閾値電圧Ｖｔｈ１により制御されるが、まず閾値電圧Ｖｔｈを補正することなくそのまま用いてメインバータ出力電圧を制御する場合について説明する。すなわち、図１（ａ）において、比較器１２ａ〜極性切替器１２ｃの動作を停止して、出力制御装置１０の閾値電圧発生手段１１から出力される閾値電圧Ｖｔｈを補正することなく用いてメインインバータ３に主電圧パルスを発生させるべく制御する場合について説明する。閾値電圧発生手段１１からの閾値電圧Ｖｔｈにより、メインインバータ３の各相は、メインコンデンサ３１のいずれか一方の直流電圧Ｖｍｃを入力電圧とし、各メインコンデンサ３１の直流電圧Ｖｍｃの波高値を有する電圧パルスを、正弦波である相電圧指令Ｖｓの半周期に対して１パルスの割合で出力する。
【００１６】
なお、直流電圧Ｖｍｃは、直流電源１の電圧２Ｅｄの１／２の電圧Ｅｄに相当する。上記相電圧指令Ｖｓの半周期に１パルス出力される電圧パルスを、以下、主電圧パルスと称する。ここでは、相電圧指令Ｖｓの１周期に、該相電圧指令Ｖｓの正側に１パルス、負側に１パルスの主電圧パルスを出力する。この主電圧パルスは、サブインバータ５の半周期あるいは１周期の電力収支が０となるように出力される。主電圧パルスは、相電圧指令Ｖｓに対して位相（ｎπ＋θｔｈ）で立ち上がり、位相（（ｎ＋１）π−θｔｈ）で立ち下がるパルスである。位相θｔｈ及びこの制御についての詳細は後述する。
【００１７】
図３（ａ）にサブインバータ出力電圧指令Ｖｓｓを、図３（ｂ）にサブインバータ出力電圧Ｖｓｏを示す。出力制御装置１０において、サブインバータ出力電圧指令Ｖｓｓは、相電圧指令Ｖｓから各相のメインインバータ出力電圧Ｖｍｏを減算して得られる。すなわち、Ｖｓｓ＝Ｖｓ−Ｖｍｏである。なお、図３（ａ）に示すサブインバータ出力電圧指令Ｖｓｓは、サブインバータ５を出力線３７に２台直列にして接続した場合の電圧波形である。出力制御装置１０は、サブインバータ出力電圧指令Ｖｓｓを各サブインバータ５に与え、そのサブインバータ出力電圧を階段状に変化させる制御を行い、図３（ｂ）に示すような階段状に変化する階段波形のサブインバータ出力電圧Ｖｓｏの波形を出力させる。各階段波形は、相電圧指令Ｖｓと各相のメインインバータ出力電圧Ｖｍｏとの差を埋めるように制御される。
【００１８】
図４に相電圧指令Ｖｓ、メインインバータ出力電圧Ｖｍｏ、サブインバータ出力電圧Ｖｓｏと、その和である各相のインバータ出力電圧Ｖｏ（平滑フィルタ７の前段の電圧、図１（ａ）参照）を示す。各相のサブインバータ出力電圧Ｖｓｏは、メインインバータ３の各相のメインインバータ出力電圧Ｖｍｏに重畳され、サブインバータ５側の出力としては、図４（ｃ）に示すような擬似正弦波のインバータ出力電圧Ｖｏが出力される。インバータ出力電圧Ｖｏは、平滑フィルタ７を介して負荷９に印加され、正弦波状の出力電流（負荷電流）Ｊｆが流れる。負荷９への各相の出力電流Ｊｆの波形は、メインコンデンサ３１同士の接続点である中性点Ｎの電位を基準に、各相が約２π／３ずつ異なる位相で、同じ波高値を有する三相交流の正弦波となる。
【００１９】
次に、出力制御装置１０によるメインインバータ３の主電圧パルス（メインインバータ出力電圧Ｖｍｏ）の出力制御及びサブインバータ５の電力収支について説明する。この場合も、メインインバータ３は閾値電圧発生手段１１による閾値電圧Ｖｔｈを補正しないでそのまま用いて制御され、図５（ａ）に示すようなインバータ出力電圧Ｖｏが出力されるものとする。図５（ｂ）は電力変換装置の出力電流Ｊｆである。図５（ｃ）は、メインインバータ出力エネルギーＰｍｏであり、メインインバータ出力エネルギーＰｍｏは図５（ａ）のメインインバータ出力電圧Ｖｍｏと図５（ｂ）の出力電流Ｊｆとの積により求まる。
【００２０】
一方、図５（ｄ）に示す相電圧指令Ｖｓにより出力すべき指令出力エネルギーＰｓｏは、図５（ｄ）の相電圧指令Ｖｓと図５（ｅ）に示す出力電流Ｊｆ（図５（ｂ）と同じである）との積により求めるこができる。図５（ｆ）に、出力すべき指令出力エネルギーＰｓｏを示す。ここで、メインインバータ出力エネルギーＰｍｏと相電圧指令Ｖｓにより出力されるべき指令出力エネルギーＰｓｏは、双方、出力電流Ｊｆとメインインバータ出力電圧Ｖｍｏ、あるいは相電圧指令Ｖｓとの積により求められることと、出力電流が同じＪｆであることから、メインインバータ出力エネルギーＰｍｏと相電圧指令Ｖｓにより出力されるべき指令出力エネルギーＰｓｏとの関係は、メインインバータ出力電圧Ｖｍｏと相電圧指令Ｖｓとの関係により表される。
【００２１】
上述したように、主電圧パルスは、サブインバータ５の半周期あるいは１周期の電力収支が０となるように出力される。サブインバータ５は、相電圧指令Ｖｓとメインインバータ３の各相の出力電圧Ｖｍｏとの差を補うように動作するため、メインインバータ３は、相電圧指令Ｖｓにより出力されるべき指令出力エネルギーＰｓｏと同じエネルギーを主電圧パルスを制御することにより出力すればよい。
出力電流Ｊｆの位相を負荷電圧の位相に一致するよう制御する（力率１運転）場合、相電圧指令Ｖｓのピーク電圧をＶｐ、メインインバータ３に入力する直流電圧（ここでは、直流電源１の電圧、あるいは、各メインコンデンサ３１の両端電圧の和）の１／２をＥｄとすると、主電圧パルスが立ち上がる位相θ１（０＜θ１＜π／２）は、次の式（１）となる。
θ１＝ａｒｃｃｏｓ（π・Ｖｐ／４・Ｅｄ）              ・・・（１）
【００２２】
このように演算される位相（ｎπ＋θ１）で立ち上がる電圧パルスのパルス幅（π−２θ１）が、主電圧パルスの基本のパルス幅Ｗｍ０となる（図２参照）。ここで、実際には、回路のＬ成分やＣ成分及び平滑フィルタ７を構成するリアクトルのインダクタンスＬやコンデンサの容量Ｃなどのばらつきなどにより、出力電流Ｊｆの位相と負荷電圧Ｖｆの位相が必ずしも一致しないことや、回路損失などにより、メインインバータ出力エネルギーＰｍｏと相電圧指令Ｖｓにより出力されるべき指令出力エネルギーＰｓｏとは、上述したメインインバータ３の主電圧パルスのパルス幅を基本のパルス幅Ｗｍ０のままとしたのでは、必ずしも一致するとはいえない。そこで、出力制御装置１０において、閾値電圧発生手段１１によりまず式（１）により基本のパルス幅Ｗｍ０を演算して主電圧パルスのパルス幅を仮決定し、サブインバータ５の直流コンデンサ５３の電圧Ｖｓｃをモニタして補正装置１２により基本のパルス幅Ｗｍ０をパルス幅Ｗｍに補正し、補正したパルス幅Ｗｍとなるように制御を行う。
【００２３】
具体的には、図１（ａ）における閾値電圧発生手段１１は、式（１）に基づいて基本のパルス幅Ｗｍ０を決定する位相θ１を計算し、位相θ１に基づいて閾値電圧Ｖｔｈを決定する。閾値電圧Ｖｔｈは、主電圧パルスの立ち上がり及び立ち下がりのタイミングを決定するための電圧であり、相電圧指令Ｖｓが閾値電圧Ｖｔｈを超えたとき主電圧パルスが立ち上がり閾値電圧Ｖｔｈ以下になったとき立ち下がる。この閾値電圧Ｖｔｈが補正装置１２の加算器１２ｄに入力され、補正される。補正装置１２における補正は次のようにして行われる。比較器１２ａに各サブインバータ５の直流コンデンサ５３の電圧Ｖｓｃの目標値Ｓ１と直流コンデンサ５３の電圧の測定値Ｓ２とが入力されて比較され、その差分がＰＩ制御器１２ｂに出力される。ＰＩ制御器１２ｂの出力δは極性切替器１２ｃを介して加算器１２ｄに入力され、上記閾値電圧Ｖｔｈに加算または減算する演算が行なわれ、補正された閾値電圧Ｖｔｈ１として出力される。
【００２４】
ここで、例えば極性切替器１２ｃ及び加算器１２ｄにおいてＰＩ制御器１２ｂの出力δを閾値電圧Ｖｔｈに加算する演算を行うとした場合、サブインバータ５の直流コンデンサ５３の電圧Ｖｓｃの測定値Ｓ２がサブインバータ５の直流コンデンサ５３の電圧Ｖｓｃの目標値Ｓ１よりも高い場合、すなわちメインインバータ出力エネルギーＰｍｏが相電圧指令Ｖｓにより出力される指令出力エネルギーＰｓｏよりも大きい場合には、閾値電圧Ｖｔｈに出力δが加算され元の電圧閾値Ｖｔｈよりも大きくなるように補正され、補正された閾値電圧Ｖｔｈ１が出力される。これにより、メインインバータ３の主電圧パルスのパルス幅Ｗｍが小さくなり、直流コンデンサ５３の電圧Ｖｓｃは低くなる。なお、図６において、位相θｔｈ，π−θｔｈ，π＋θｔｈ，２π−θｔｈは、閾値電圧Ｖｔｈに基づく主電圧パルスの立ち上がりのタイミングと立ち下がりのタイミング、位相α，π−α，π＋α，２π−αは、上記補正された閾値電圧Ｖｔｈ１に基づく主電圧パルスの立ち上がりのタイミング（位相）と立ち下がりのタイミング（位相）であり、上記補正された閾値電圧Ｖｔｈ１に基づく主電圧パルスの立ち上がりのタイミング（位相）αと立ち下がりのタイミング（位相）π−αとは互いに逆方向に制御される。
【００２５】
また、逆に測定値Ｓ２が直流コンデンサ５３の電圧Ｖｓｃの目標値Ｓ１以下の場合、すなわち、メインインバータ出力エネルギーＰｍｏが相電圧指令Ｖｓにより出力されるべき指令出力エネルギーＰｓｏ以下の場合には、閾値電圧Ｖｔｈが小さくなるように補正され、メインインバータ３の主電圧パルスのパルス幅Ｗｍが大きくなり、直流コンデンサ５３の電圧Ｖｓｃは高くなる。この場合も、主電圧パルスの立ち上がりのタイミングと立ち下がりのタイミングとは、逆方向に移動しパルス幅が広くなっていることになる。
このようにして、極性切替器１２ｃ及び加算器１２ｄにおいてＰＩ制御器１２ｂの出力δを閾値電圧Ｖｔｈに加算する演算を行うとした場合、メインインバータ３の出力する主電圧パルスのパルス幅Ｗｍを制御することにより、サブインバータ５の直流コンデンサ５３の電圧Ｖｓｃを略一定に制御することが可能となり、サブインバータ５の直流コンデンサ５３の過電圧などに起因するサブインバータ５を構成する半導体スイッチング素子５１などの破壊を防止することが可能となる。
【００２６】
ところで、平滑フィルタ７がＬＣフィルタにより構成される場合、電力変換装置の出力電流Ｊｆとしては、平滑フィルタ７のコンデンサに流す無効電流成分と、負荷９へ流す有効電流成分を出力する必要がある。負荷９への出力エネルギーは有効電流成分により決まる。このため、直流電源（太陽電池）１の出力エネルギーが小さくなり、負荷９への出力エネルギーが小さくなると、上記有効電流よりも無効電流の方が大きくなる。この場合、サブインバータ５の出力端における力率が低下する。特に、負荷９への出力エネルギーがほぼ零の場合には、無効電流のみを流すことになり、負荷電圧Ｖｆと出力電流Ｊｆとの位相は約π／２だけ異なることになる。
【００２７】
ここで、上述した閾値電圧Ｖｔｈは、相電圧指令Ｖｓの対称性から一意に求められるため、上述の制御では、主電圧パルスの立ち下りと立ち上りが、π／２もしくは３π／２の点を基準に、対称に補正されることになる。例えば、図６（ａ）に示すようにメインインバータ出力電圧Ｖｍｏの立ち上がり点は（ｎπ＋α）、立ち下がり点は（（ｎ＋１）π−α）となる。
しかしながら、上述したような負荷９への出力エネルギーがほぼ零であり、無効電流のみを供給する場合には、π／２もしくは３π／２の点を基準にした制御では、メインインバータ出力エネルギーＰｍｏを調整することができず、サブインバータ５の直流コンデンサ５３の電圧Ｖｓｃを制御することが不可能となる。負荷電圧Ｖｆと出力電流Ｊｆの位相がπ／２異なる場合の、メインインバータ出力エネルギーＰｍｏへの上述の制御の影響を図６に示す。
【００２８】
図６（ｃ）に示した波形が負荷電力零の場合のメインインバータ出力エネルギーＰｍｏの波形である。図６（ｃ）に示すように、負荷電力零の場合には、図６（ａ）のメインインバータ出力電圧Ｖｍｏと図６（ｂ）の出力電流Ｊｆとの位相がπ／２ずれることにより、メインインバータ出力エネルギーＰｍｏは、図６（ｃ）に示すように正負対称な波形となる。このような場合、上述の制御にてπ／２もしくは３π／２の点を基準に、対称にパルス幅Ｗｍを増減させたとしても、正負対称波形により半周期のエネルギーは相殺される。このため、負荷電力零時などの負荷出力エネルギーが極端に小さい場合には、上述の制御では、サブインバータ５の直流コンデンサ５３の電圧Ｖｓｃを制御することが困難となる。
【００２９】
そこで、本実施の形態においては、補正装置１２の極性切替器１２ｃ（図１（ａ））によって、負荷電力が一定値以下の場合に、相電圧指令Ｖｓを基準にしてメインインバータ３の主電圧パルスの立ち上がりのタイミングと立ち下がりのタイミングとを同方向に移動（シフト）させる補正を行う。このため、極性切替器１２ｃは、負荷電力の大きさに応じて、ＰＩ制御器１２ｂからの出力δを極性切替器１２ｃを介して加算器１２ｄに加算入力として入力する制御と、減算入力として入力する制御とを切り替える。例えば、負荷零の場合の出力電流は図７（ｂ）に示す相電圧指令Ｖｓをπ／２移相した移相信号Ｖｓｆとほぼ等しい位相となる。そして、図７（ｃ）に示すように信号Ｓ３は相電圧指令Ｖｓ（図７（ａ））が正の場合はＨレベル、零または負の場合は、Ｌレベルを出力する。信号Ｓ４は図７（ｄ）に示すように相電圧指令Ｖｓをπ／２移相した移相信号Ｖｓｆ（図７（ｂ））が正の場合にＨレベルを、負の場合にＬレベルを出力する。
【００３０】
このような補正装置１２における制御では、各相のサブインバータ５の直流コンデンサ５３の電圧Ｖｓｃの測定値Ｓ２が、各相のサブインバータ５の直流コンデンサ５３の電圧Ｖｓｃの目標値Ｓ１と比較され、その誤差分をＰＩ制御器１２ｂにて演算処理し、ＰＩ制御器１２ｂの出力δを極性切替器１２ｃを介して加算器１２ｄへ出力する。加算器１２ｄにおいては、閾値電圧発生手段１１にて式（１）により計算される閾値電圧Ｖｔｈに足し込む演算を行う。この時、閾値電圧Ｖｔｈへの足しこみの極性を、上記した信号Ｓ３と信号Ｓ４の論理値により、図８に示した足し込み極性に従って切り替える。
【００３１】
これにより、例えば、サブインバータ５の直流コンデンサ５３の電圧Ｖｓｃが目標電圧よりも高い場合、メインインバータ出力エネルギーＰｍｏが相電圧指令Ｖｓにより出力されるべき指令出力エネルギーＰｓｏよりも大きい場合、閾値電圧Ｖｔｈに出力δだけ加算されあるいは減算され、図９（ａ）に示すようにメインインバータ３の出力電圧が極性切替なしのときのメインインバータ出力電圧Ｖｍｏから極性切替ありのときのメインインバータ出力電圧Ｖｍｏ１に変化し、位相が相電圧指令Ｖｓの極性切り替り点の位相であるπ方向にβ１，β２だけ（同方向に）シフトすることにより、図９（ｃ）に示すようにメインインバータ３の出力エネルギー（メインインバータ出力電圧（極性切替あり）Ｐｍｏ１の波形の正の部分）が小さくなり、入力エネルギー（メインインバータ出力電圧（極性切替あり）Ｐｍｏ１の波形の負の部分）が大きくなる。この入力エネルギーはサブインバータ５から供給されるため、サブインバータ５の直流コンデンサ５３の電圧Ｖｓｃは低くなる。
【００３２】
また、負荷電力が一定値以下の場合であって、逆にサブインバータ５の直流コンデンサ５３の電圧Ｖｓｃが目標電圧以下の場合、すなわち、メインインバータ出力エネルギーＰｍｏが相電圧指令Ｖｓにより指令される指令出力エネルギーＰｓｏ以下の場合には、上記論理積がＨレベルの場合には、閾値電圧Ｖｔｈが小さくなるように足し込み極性が−に、上記論理積がＬレベルの場合には、閾値電圧Ｖｔｈが大きくなるように足し込み極性が＋に補正極性が切り替えられる。これにより、図１０（ａ）に示すようにメインインバータ３の出力電圧が極性切替なしのときのメインインバータ出力電圧Ｖｍｏから極性切替ありのときのメインインバータ出力電圧Ｖｍｏ２に変化し、位相が相電圧指令Ｖｓの０の位相にγ１あるいはγ２だけ近づくようにシフトする。すなわち立ち上がりのタイミングと立ち下がりのタイミングとを同方向にシフト（移動）させることにより、メインインバータ出力エネルギーＰｍｏが大きくなり、入力エネルギーが小さくなる（図１０（ｃ））。これにより、サブインバータ５の直流コンデンサ５３の電圧Ｖｓｃは高くなる。
【００３３】
なお、負荷電力が一定値を超える場合は上述のような極性切替器１２ｃによる足し込み極性の切替すなわち相電圧指令Ｖｓに対する主パルス電圧の位相をシフトする制御は行わず、ＰＩ制御器１２ｂからの出力δを電圧閾値Ｖｔｈに加算する動作を行う。
また、相電圧指令Ｖｓや電力変換装置の出力電圧に対する負荷電流Ｊｆの位相すなわち負荷９の力率を検出して、サブインバータ５の出力端から見た負荷９側の力率が所定値例えば５０％以下のときは極性切替器１２ｃにより電圧閾値Ｖｔｈから上述した出力δを減算して主電圧パルスの位相のシフトを行うようにしてもよい。
出力制御装置１０は、以上のようにして制御信号Ｓｍｃ及び制御信号Ｓｓｃをメインインバータ３及びサブインバータ５に送り、これらを制御する。
なお、以上においては、サブインバータはその出力電圧を階段状に変化させるものを示したが、出力電圧のパルス幅変調制御を行うものを使用してもよい。
【００３４】
以上により、本実施の形態では、三相交流の各相電圧指令Ｖｓに基づいて三相インバータであるメインインバータ３が各相毎の相電圧指令Ｖｓの半周期の間にそれぞれ１パルスの電圧を主電圧パルスとして出力するようにするとともに、単相インバータであるサブインバータ５の出力電圧Ｖｓｏを制御して負荷９に対する電力変換器の各相の出力電圧が２π／３ずつ異なる位相でかつ同じ波高値を有する三相交流となるようにし、かつ負荷９へ供給する電力に応じて主電圧パルスのパルス幅Ｗｍの制御と相電圧指令Ｖｓに対する主電圧パルスの位相の制御とを併せて行うようにしたので、負荷電力零から最大負荷電力まで、サブインバータ５の直流電源としてのサブインバータ５の直流コンデンサ５３の電圧Ｖｓｃを略一定に制御することが可能となり、サブインバータ５の直流電源としての直流コンデンサ５３の過電圧などによる、サブインバータ５を構成する素子などの破壊を防止することができる。
また、サブインバータ５の直流コンデンサ５３の電圧を略一定に制御できることにより、サブインバータ５の電源電圧の上昇などによる素子の破壊を防止できるため、使用する素子の耐電圧を低減することが可能となり、サブインバータ５で、スイッチング手段としての半導体素子の開閉などにより発生する損失を低減することができる。
なお、上記主電圧パルスの制御は、指令値電圧の位相に対する制御を述べたが、指令値電圧の変わりに系統電圧の位相に対して行っても良い。
以上のように、単相インバータであるサブインバータ５の直流電源の電圧を効果的に制御して、小型化、低コスト化を図ことのできるとともに、高い変換効率を有するものとすることができる。
【００３５】
実施の形態２．
図１１〜図１３は、この発明の実施の形態２である電力変換装置を示すものであり、図１１はこの発明の実施の形態２による電力変換装置の出力制御装置の構成を示す構成図、図１２は電力変換装置のサブインバータの直流コンデンサの電圧が不足したときの各部の電圧波形を示す図、図１３は電力変換装置のメインインバータの動作を説明するための電圧波形を示す図である。図１１において、出力制御装置２０は、電圧補償制御手段２１を有する。その他の構成につては、図１に示した電力変換装置及び出力制御装置１０と同様のものである。上記実施の形態１においては、各サブインバータ５は、相電圧指令Ｖｓと各相のメインインバータ出力電圧Ｖｍｏとの差を埋めるように、電圧制御される。この時、サブインバータ５の直流コンデンサ５３の電圧Ｖｓｃは、メインインバータ３の直流電圧Ｖｍｃよりも小さく設定される。
【００３６】
このサブインバータ５の直流コンデンサ５３の電圧Ｖｓｃは、スイッチング損失を低減するために、なるべく低いことが望ましい。しかしながら、実施の形態１に示したエネルギー制御の観点から求められるメインインバータ３の主電圧パルスのパルス幅により、相電圧指令Ｖｓと各相のメインインバータ出力電圧Ｖｍｏとの差が、サブインバータ５の直流コンデンサ５３の電圧Ｖｓｃよりも大きくなった場合、相電圧指令Ｖｓとメインインバータ出力電圧Ｖｍｏとの差を埋めることができず、出力電圧波形が歪むという問題があり、サブインバータ出力電圧Ｖｓｏは、上記差を埋めることが可能な電圧以下に設定することができず、高い電圧のものを使用しなければならなくなる。これは、避けることが望ましい。
【００３７】
図１２に、メインインバータ出力電圧Ｖｍｏ、相電圧指令Ｖｓ、及びサブインバータ５の直流コンデンサ５３の電圧Ｖｓｃが不足した場合の電力変換装置の出力電圧Ｖｆの３つのモードを示す。図１２において、電圧Ｖｂは各相のサブインバータの直流コンデンサ５３の電圧Ｖｓｃ、Ｖｔｈ１は補正後のパルス状のメインインバータ出力電圧Ｖｍｏ１の立ち上がりタイミングを決める実施の形態１で説明した閾値電圧である。図１２（ａ）は、Ｖｔｈ１＞Ｖｂの場合に起こるモードであり、メインインバータ出力電圧Ｖｍｏが相電圧指令Ｖｓ以下の箇所において生じる。このため、サブインバータ５のみで相電圧指令Ｖｓに応じた波形を出力しようとするがこの差分を負担することができず、サブインバータ出力電圧Ｖｓｏが不足し、出力電圧Ｖｆの波形に凹形状が生じる。
【００３８】
次に、図１２（ｂ）は、（Ｖｉ−Ｖｔｈ）＞Ｖｂ（Ｖｉ：どちらか片方のメインコンデンサ３１の電圧Ｖｍｃ）の場合に起こるモードであり、メインインバータ出力電圧Ｖｍｏが相電圧指令Ｖｓよりも高い箇所において生じる。このため、メインインバータ出力電圧Ｖｍｏとサブインバータ出力電圧Ｖｓｏの総和で相電圧指令Ｖｓを出力しようとするが、メインインバータ出力電圧Ｖｍｏに対して、サブインバータ出力電圧Ｖｓｏが不足し、出力電圧Ｖｆの波形に凸形状が生じる。図１２（ｃ）は図１２（ａ），（ｂ）の両方が生じるモードであり、Ｖｔｈ＞Ｖｂ，（Ｖｉ−Ｖｔｈ）＞Ｖｂの両方の条件を満たすときに生じ、出力電圧に凹凸形状が生じる。
【００３９】
上記したような凹凸形状が出力電圧Ｖｆに生じると、出力電流Ｊｆにも同様な歪みが生じることになる。本発明の実施の形態１における電力変換装置を負荷９に接続した場合、このような歪み波形を負荷９に供給することになる。特に本電力変換装置の出力を電力系統に連系させる場合、上記のような歪み波形を系統に供給することは望ましくない。そこで、本実施の形態では、上述のサブインバータ５の直流コンデンサ５３の電圧Ｖｓｃが不足した場合に、その不足分を、電圧補償制御手段２１によってメインインバータ３を高周波ＰＷＭ制御することにより補う制御を行う。
【００４０】
例として、図１２（ａ）のモードにおけるメインインバータ出力電圧Ｖｍｏとサブインバータ出力電圧Ｖｓｏを図１３に示す。出力制御装置２０の電圧補償制御手段２１は、図１３（ａ）に示すように、サブインバータ５の直流コンデンサ５３の電圧Ｖｓｃに発生した場合、電圧の不足を検出し、差分である図１３（ｂ）に示す不足電圧分Ｖ１２を演算する。そして、図１３（ｃ）に示すようにメインインバータ３が上記不足電圧分Ｖ１２を出力するようにメインインバータ出力指令Ｖｍｓを出力しメインインバータ３をＰＷＭ制御する。この制御により、電力変換装置の出力として歪みの無い波形を出力することが可能となる。
【００４１】
なお、図１３（ｂ）に示した電圧不足分Ｖ１２の補償方法としては、電圧不足箇所を判定して、サブインバータ５の出力を停止し、メインインバータ３のみで同電圧不足分Ｖ１２を出力してもよく、サブインバータ５からある程度の電圧を出力しておき、メインインバータ３で電圧不足分を補うようにＰＷＭ制御を行ってもよい。ところで、図１３（ｄ）に示したとおり、上記電圧不足補償制御を行った場合の、サブインバータ出力電圧指令Ｖｓｓは、上記電圧不足補償制御を行わない場合の出力指令Ｖｓｓと同じである。
【００４２】
以上により、本実施の形態２の、サブインバータ５の電圧が不足した場合にメインインバータ３により補償するように制御を行うことにより、電力変換装置の出力電圧もしくは出力電流に歪み波形を生じさせることなく、出力高調波を抑制することが可能となる。
これにより、サブインバータ５の耐電圧を、メインインバータ出力電圧Ｖｍｏと相電圧指令Ｖｓの関係に関係なく選定することができ、素子の小型化、低価格化が可能となる。
なお、本実施の形態２によるサブインバータ５の電圧が不足した場合にメインインバータ３により補償する制御は、電力変換装置の出力電力が負荷電力零から最大電力に至るまで適用することが可能であり、同様な効果を得ることができる。
なお、以上の実施の形態１，２では、主電圧パルスの幅の制御と位相（立ち上り立ち下りタイミング）の制御を同時に行っているが、両者の制御を独立して行ってもよい。
【符号の説明】
【００４３】
１  直流電源、３  メインインバータ、５  サブインバータ、９  負荷、
１０  出力制御装置、１１  閾値電圧発生手段、１２  補正装置、２０  出力制御装置、
２１  電圧補償制御手段、３１  メインコンデンサ、３７  出力線、
５３  直流コンデンサ。
【図１】
2011120325.tif 000003
【図２】
2011120325.tif 000004
【図３】
2011120325.tif 000005
【図４】
2011120325.tif 000006
【図５】
2011120325.tif 000007
【図６】
2011120325.tif 000008
【図７】
2011120325.tif 000009
【図８】
2011120325.tif 000010
【図９】
2011120325.tif 000011
【図１０】
2011120325.tif 000012
【図１１】
2011120325.tif 000013
【図１２】
2011120325.tif 000014
【図１３】
2011120325.tif 000015